(57)【要約】【課題】計量モードと濃縮モードとが切り替えられ、且つ不所望の配管への試料ガスの拡散の無い気体試料導入装置を提供する。【解決手段】気体試料導入装置において、計量管４０と、計量管４０に試料ガスを導入する試料ガス供給流路Ｆ１と、計量管４０にキャリアガスを導入するキャリアガス供給流路Ｆ２と、計量管４０を通過したガスを排出する排気流路Ｆ３と、試料ガスを濃縮する濃縮手段５０と、試料ガス供給流路Ｆ１と排気流路Ｆ３の間に計量管４０が介挿された第１状態とキャリアガス供給流路Ｆ２とガス分析装置２の間に計量管４０が介挿された第２状態とを切り替える第１の流路切替手段２０と、計量管４０と排気流路Ｆ３の間又は計量管４０とガス分析装置２との間に濃縮手段５０の捕集管５１を介挿した捕集管介挿状態と捕集管５１を介挿しない捕集管短絡状態とを切り替える第２の流路切替手段３０とを設ける。【選択図】図１
2010112761.tif 000002
【特許請求の範囲】
【請求項１】
ガス分析装置に試料ガスを導入するための気体試料導入装置であって、
a)所定の容積を有する計量管と、
b)前記計量管に試料ガスを導入するための試料ガス供給流路と、
c)前記計量管にキャリアガスを導入するためのキャリアガス供給流路と、
d)前記計量管を通過したガスを外部に排出するための排気流路と、
e)試料ガス中の所定成分を吸着するための捕集管を備え、加熱脱着法により試料ガスを濃縮する濃縮手段と、
f)前記計量管が前記試料ガス供給流路と前記排気流路との間に介挿された第１状態と、前記計量管が前記キャリアガス供給流路と前記ガス分析装置との間に介挿された第２状態とを切り替える第１の流路切替手段と、
g)前記第１状態又は第２状態において、前記計量管と排気流路との間又は前記計量管とガス分析装置との間に前記捕集管を介挿した捕集管介挿状態と、該捕集管を介挿しない捕集管短絡状態とを切り替える第２の流路切替手段と、
を有することを特徴とする気体試料導入装置。
【請求項２】
h)前記捕集管にドライパージ用ガスを導入するためのドライパージガス供給流路と、
i)前記捕集管を通過したドライパージ用ガスを外部に排出するためのドライパージガス排出流路と、
を更に有し、前記第２の流路切替手段が、前記捕集管短絡状態において前記ドライパージガス供給流路とドライパージガス排出流路との間に前記捕集管を介挿することを特徴とする請求項１に記載の気体試料導入装置。
【請求項３】
カラムと、該カラムに試料ガスを導入する気体試料導入装置と、該カラムで分離された試料成分を検出する検出器とを備えたガスクロマトグラフ装置であって、前記気体試料導入装置として請求項１又は２に記載のものを用いることを特徴とするガスクロマトグラフ装置。
【発明の詳細な説明】
【技術分野】
【０００１】
本発明は、ガスクロマトグラフ装置等のガス分析装置に試料ガスを導入するための気体試料導入装置、及びそれを備えたガスクロマトグラフ装置に関する。
【背景技術】
【０００２】
気体試料を対象とするガスクロマトグラフ分析においては、カラムに供給されるキャリアガスの流れの中に分析対象とする試料ガスを導入するための気体試料導入装置が広く用いられる。こうした気体試料導入装置による試料導入には、流路中に設けられた計量管によって所定量の試料ガスを計量してカラムに導入する方式と、流路中に設けられた濃縮装置によって試料ガスを濃縮してカラムに導入する方式とがあり、両方式を切り替えて実行することのできる装置も広く用いられている。
【０００３】
図４は、上記のような計量管を利用する試料導入（以下、これを計量モードと呼ぶ）と濃縮装置を利用する試料導入（以下、これを濃縮モードと呼ぶ）とを切り替えて実行する機能を備えた従来の気体試料導入装置の流路構成を示したものである。八方バルブ１１０は、手動力又は機械力により、図４中に実線で示す接続状態と点線で示す接続状態との二状態で切り替え可能である。ＳＶａ〜ＳＶｅは電磁弁であり、Ｔａ〜Ｔｃは分岐管である。なお、各電磁弁のＮＯは通常開（Normal Open）ポート、ＮＣは通常閉（Normal Close）ポート、Ｃは共通（Common）ポートを意味している。なお、ガス入口１６２及びマスフローコントローラ１５０は、試料容器２００内の加圧用又は濃縮装置１３０のドライパージ用のガスを所定の流量で供給するためのものであるが、ここでは詳細は省略する。
【０００４】
まず、図４の装置における計量モード時の動作について説明する。八方バルブ１１０を点線で示す接続状態にすると共に、電磁弁ＳＶｄ、ＳＶｅをＮＯ側にする（すなわちＣ側とＮＯ側を接続する）と、ニードル１４０によって試料容器２００から採取された試料ガスは、ポートｄ、ｅを経由して計量管１２０を通過した後、ポートｈ、ａ、電磁弁ＳＶｄ、及び分岐管Ｔａを経由してガス出口１７２から排出される。なお、このとき図示しないガスボンベ等からガス入口１６１に供給されるキャリアガスは、電磁弁ＳＶｅ、ポートｆ、ｇ、分岐管Ｔｃ、及びガス出口１７１を経由して、分析用のカラムに送られる。
【０００５】
このようにして計量管１２０の内部に試料ガスを流した状態で、八方バルブ１１０を図４中に実線で示す接続状態に切り替える。これにより、今度はキャリアガスがポートｆ、ｅを経由して計量管１２０を通過するようになり、計量管１２０内に保持されていた計量管１２０の内容積で決まる一定量の試料ガスがキャリアガスに押し出され、ポートｈ、ｇ、及び分岐管Ｔｃを経由して分析用のカラムへと送出される。なお、カラムに送られた試料ガスは該カラムを通過する過程で成分毎に分離され、カラムから出て検出器により順次検出される。
【０００６】
続いて、濃縮モード時の動作について説明する。八方バルブ１１０を実線で示す接続状態にすると共に、電磁弁ＳＶｅをＮＯ側に、電磁弁ＳＶｃをＮＣ側にすると、ニードル１４０によって採取された試料ガスは、ポートｄ、ｃを経由して濃縮装置１３０内に設けられた捕集管１３１を通過した後、電磁弁ＳＶｃ、分岐管Ｔａを介してガス出口１７２から排出される。このとき、捕集管１３１は図示しない冷却手段により冷却されており、試料ガスが捕集管１３１を通過する過程で該試料ガス中の所定の成分（試料成分）が捕集管１３１内に吸着される。なお、このときガス入口１６１から供給されるキャリアガスは、電磁弁ＳＶｅ、ポートｆ，ｅ、計量管１２０、ポートｈ、ｇ、分岐管Ｔｃ、及びガス出口１７１を経由してカラムに流れ込む。
【０００７】
このようにして捕集管１３１の内部に試料成分を吸着させた後、八方バルブ１１０を点線で示す接続状態に切り替え、電磁弁ＳＶｃをＮＯ側に、電磁弁ＳＶｅをＮＣ側に切り替える。すると、キャリアガスが電磁弁ＳＶｅ、分岐管Ｔｂ、電磁弁ＳＶｃを経由して捕集管１３１内を先の試料ガスとは逆方向に通過するようになる。この状態で、図示しない加熱手段によって捕集管１３１を急速に加熱すると、捕集管１３１内に吸着されていた試料成分が一気に脱離するため、高濃度の試料成分がキャリアガス流に乗って捕集管１３１から流出し、ポートｃ、ｂ及び分岐管Ｔｃを経てカラムに導入されることとなる。このように濃縮モードによれば、もともとの試料ガスに含まれる試料成分が微量であっても、これを濃縮して濃度を高めた上でカラムに送り込むことができるので、検出感度が向上するという効果が得られる。
【発明の開示】
【発明が解決しようとする課題】
【０００８】
上記のように、従来の計量モードと濃縮モードの切り替え機能を備えた気体試料導入装置では、計量管１２０と捕集管１３１が並列に接続され、これらのいずれか一方から送り出された試料ガスが、カラムの直前に設けられた分岐管Ｔｃを介してカラムに流れ込むようになっている。しかしながら、計量モードの実行時には分岐管Ｔｃの捕集管１３１側の配管にはガスが流れていないため、計量管１２０から送り出された試料ガスの一部が拡散によって捕集管１３１側の配管に移行するおそれがあった。同様に、濃縮モードの実行時には分岐管Ｔｃの計量管１２０側の配管にガスが流れていないため、捕集管１３１から送り出された試料ガスの一部が拡散によって計量管１２０側の配管に移行するおそれがあった。このような試料ガスの拡散が発生すると、試料ガスの回収率（試料容器２００から採取された試料ガスのうちカラムに導入される試料ガスの比率）が低下して分析感度や分析精度に悪影響を及ぼすと共に、不所望の配管に移行した試料ガスが次の分析の際に分岐管Ｔｃを介してカラムに導入され、分析結果に影響を与える可能性がある。
【０００９】
本発明はこのような点に鑑みてなされたものであり、その目的とするところは、計量モードと濃縮モードとを切り替えて実行可能であると共に、不所望の配管への試料ガスの拡散を防止し、ガス分析における分析感度や分析精度、及び分析の信頼性を向上させることのできる気体試料導入装置及びそれを備えたガスクロマトグラフ装置を提供することにある。
【課題を解決するための手段】
【００１０】
上記課題を解決するためになされた本発明に係る気体試料導入装置は、ガス分析装置に試料ガスを導入するための気体試料導入装置であって、
a)所定の容積を有する計量管と、
b)前記計量管に試料ガスを導入するための試料ガス供給流路と、
c)前記計量管にキャリアガスを導入するためのキャリアガス供給流路と、
d)前記計量管を通過したガスを外部に排出するための排気流路と、
e)試料ガス中の所定成分を吸着するための捕集管を備え、加熱脱着法により試料ガスを濃縮する濃縮手段と、
f)前記計量管が前記試料ガス供給流路と前記排気流路との間に介挿された第１状態と、前記計量管が前記キャリアガス供給流路と前記ガス分析装置との間に介挿された第２状態とを切り替える第１の流路切替手段と、
g)前記第１状態又は第２状態において、前記計量管と排気流路との間又は前記計量管とガス分析装置との間に前記捕集管を介挿した捕集管介挿状態と、該捕集管を介挿しない捕集管短絡状態とを切り替える第２の流路切替手段と、
を有することを特徴としている。
【００１１】
上記構成から成る本発明に係る気体試料導入装置において、計量モードを実行する際には、第２の流路切替手段を前記の捕集管短絡状態とした上で、まず、第１の流路切替手段を第１状態とする。これにより、試料ガス供給流路から計量管を介して排気流路へと至る流路が形成され、該計量管内を試料ガスが通過する。その後、第１の流路切替手段を第２状態とすれば、今度はキャリアガス供給流路から計量管を介してガス分析装置に至る流路が形成されるため、計量管内に保持されていた所定量の試料ガスがキャリアガスの流れに乗ってガス分析装置に導入される。
【００１２】
一方、濃縮モードを実行する際には、第２の流路切替手段を前記の捕集管介挿状態とした上で、まず、第１の流路切替手段を第１状態とする。これにより、試料ガス供給流路から計量管及び捕集管を介して排気流路に至る流路が形成される。このとき所定の冷却手段によって捕集管を冷却しておくことにより、捕集管を通過する試料ガス中の所定の成分を捕集管内に吸着させる。なお、冷却手段を設けず、常温で所定成分の吸着を行うものとしてもよい。その後、第１の流路切替手段を第２状態とすると、キャリアガス供給手段から計量管及び捕集管を介してガス分析装置に至る流路が形成される。このとき、所定の加熱手段によって捕集管を加熱することにより、該捕集管内に吸着されている試料成分が脱着され、該試料成分がキャリアガスの流れに乗ってガス分析装置に導入される。
【００１３】
すなわち、本発明の気体試料導入装置は、濃縮モードを実行する際には計量管と捕集管とを直列に接続し、計量モードを実行する際には試料ガスの流路中から捕集管を短絡することができるものとなっている。そのため、各モードの実行時において、使用していない側の配管に試料成分が拡散するのを防止することができる。
【００１４】
なお、第１の流路切替手段及び/又は第２の流路切替手段による流路の切り替え操作はユーザが手動で行うものであってもよく、あるいは、モータ等の駆動手段を利用して、所定のプログラムに従って又はユーザの指示に応じて動作するものであってもよい。
【００１５】
更に、本発明に係る気体試料導入装置は、
h)前記捕集管にドライパージ用ガスを導入するためのドライパージガス供給流路と、
i)前記捕集管を通過したドライパージ用ガスを外部に排出するためのドライパージガス排出流路と、
を更に有し、前記第２の流路切替手段が、前記捕集管短絡状態において前記ドライパージガス供給流路とドライパージガス排出流路との間に前記捕集管を介挿するものとすることが望ましい。
【００１６】
また、本発明に係るガスクロマトグラフ装置は、カラムと、該カラムに試料ガスを導入する気体試料導入装置と、該カラムで分離された試料成分を検出する検出器とを備えたガスクロマトグラフ装置であって、前記気体試料導入装置として上記本発明に係る気体試料導入装置を用いることを特徴としている。
【発明の効果】
【００１７】
以上で説明したように、本発明によれば、計量モードと濃縮モードとを切り替えて実行可能な気体試料導入装置において、試料ガスの不所望な配管への拡散を防止することができる。そのため、該試料ガスの拡散によるサンプルの残留や回収率の低下を防止してガス分析の感度、精度を改善すると共に信頼性の高い分析を実現することが可能となる。
【発明を実施するための最良の形態】
【００１８】
以下、本発明に係る気体試料導入装置の一実施例について図面を参照して説明する。図１は本実施例の気体試料導入装置を用いたガスクロマトグラフの流路を中心とする構成図である。
【００１９】
本実施例に係るガスクロマトグラフは、図１に示すように、大別して試料導入部１、分析部２、及び制御部３から成る。試料導入部１は２つの流路切替バルブ２０、３０、計量管４０、及び試料濃縮ユニット５０を含み、分析部２はカラムオーブン９２、分析用のカラム９１、及び検出器９３を含む。
【００２０】
試料導入部１において、第１流路切替バルブ２０及び第２流路切替バルブ３０は、それぞれポートａ〜ｆ又はポートｇ〜ｌの６つのポートを有する回転式の６ポート２ポジションバルブであり、制御部３の制御の下に、図１中に実線で示す接続状態又は点線で示す接続状態に択一的に切り替わる。
【００２１】
第１流路切替バルブ２０のポートａには、試料ガスを採取するためのニードル１０が接続されており、ニードル１０は、その先端が試料容器１１の上部空間（ヘッドスペース）に位置するよう配置されている。ポートｂには、試料容器１１内を加圧するためのガス（加圧用ガス）を導入するためのガス入口６１と試料ガスを排出するためのガス出口７１とが分岐管Ｔ１を介して接続されている。分岐管Ｔ１からガス入口６１に至る流路上には電磁弁ＳＶ２が設けられ、分岐管Ｔ１からガス出口７１に至る流路上には電磁弁ＳＶ１及び圧力センサ８０が設けられている。ポートｄはキャリアガスを導入するためのガス入口６３に接続されており、ポートｅは分岐管Ｔ２を介してカラム９１の入口端及びスプリット流路Ｆ４と接続されている。スプリット流路Ｆ４は、試料ガスの一部をカラム９１に送出することなく排出するためのものであり、その末端には試料ガスを排出するためのガス出口７２が設けられている。また、ポートｃは第２流路切替バルブ３０のポートｌと接続されており、ポートｆは所定の容積を有する計量管４０を介して第２流路切替バルブ３０のポートｋに接続されている。一方、第２流路切替バルブ３０のポートｉには電磁弁ＳＶ３を介して後述のドライパージガスを導入するためのガス入口６２が、ポートｈには前記ドライパージガスを排出するためのガス出口７３がそれぞれ接続されており、ポートｇとｊの間には試料濃縮ユニット５０の捕集管５１が接続されている。なお、ここでは試料導入部１はスプリット方式を採っているが、スプリットレス方式でもよいことは当然である。
【００２２】
前記捕集管５１としては、中空管の内面に所定の吸着剤を塗布したものや、中空管の内部に所定の吸着剤を充填したものなどを用いることができる。試料濃縮ユニット５０はこのような捕集管５１に加えて、捕集管５１を冷却するための冷却部５２及び捕集管５１を加熱するための加熱部５３を備えている。加熱部５３は、例えば捕集管５１に接触するように設けられたヒータ等によって構成することができ、冷却部５２は、例えば捕集管５１と接触するように設けられた冷媒管内に所定の冷媒を流通させることで捕集管５１を冷却するものや、ペルチェ素子による冷却を行うものなどとすることができる。
【００２３】
上記の試料導入部１では、第１流路切替バルブ２０が本発明における第１の流路切替手段に相当し、同バルブ２０の実線で示す接続状態及び点線で示す接続状態がそれぞれ本発明における第１状態及び第２状態に相当する。また、第２流路切替バルブ３０が本発明における第２の流路切替手段に相当し、同バルブ３０の点線で示す接続状態及び実線で示す接続状態がそれぞれ本発明における捕集管介挿状態及び捕集管短絡状態に相当する。また、第１流路切替バルブ２０のポートａに接続された流路Ｆ１及びポートｄに接続された流路Ｆ２がそれぞれ本発明における試料ガス供給流路及びキャリアガス供給流路に相当し、ポートｂからガス出口７１に至る流路Ｆ３が本発明における排気流路に相当する。更に、第２流路切替バルブ３０のポートｈに接続された流路Ｆ５が本発明におけるドライパージガス排出流路に、ポートｉに接続された流路Ｆ６が本発明におけるドライパージガス供給流路に相当する。
【００２４】
なお、ガス入口６１、６２及びガス出口７１は図示しない圧力制御部に接続され、該圧力制御部によってガス入口６１、６２及びガス出口７１を介して流れるガスの圧力が制御される。一方、ガス入口６３及びガス出口７２、７３は図示しない流量制御部に制御され、該流量制御部によってガス入口６３及びガス出口７２、７３を介して流れるガスの流量が制御される。なお、前記圧力制御部及び流量制御部は電子制御式のものであっても手動式のものであってもよい。
【００２５】
制御部３は、試料導入部１の電磁弁ＳＶ１〜ＳＶ３の開閉動作、各流路切替バルブ２０、３０の切り替え動作、圧力制御部、及び流量制御部等の動作を制御すると共に、分析部２のカラムオーブン９２及び検出器９３の動作を制御している。制御部３は例えばパーソナルコンピュータにより具現化され、所定の制御プログラムに従って上記各部の動作を制御することにより、試料ガスの計量や濃縮、及びカラムへの導入を実行する。
【００２６】
本実施例に係る試料導入部１は、ヘッドスペース法による試料ガスの導入を行うものであり、試料導入部１において試料容器１１内に収容した液体試料（又は固体試料）を加熱し、揮発した試料成分を容器内の上部空間から採取してカラム９１に導入する。以下、試料導入部１における試料ガス導入時の動作について説明する。
【００２７】
１．計量モード
まず、計量管を利用した試料注入（以下、計量モードと呼ぶ）を行う場合の動作について説明する。なお、計量モード時には、常時、第２流路切替バルブ３０を実線で示す接続状態とすることにより、試料ガス及びキャリアガスの流路から捕集管５１を短絡した状態で下記一連の動作を行う。
【００２８】
（i）加圧工程
はじめに、第１流路切替バルブ２０を実線で示す接続状態にした上で、試料容器１１を図示しない加熱手段によって所定の温度に加熱して気液平衡状態とする。その後、電磁弁ＳＶ２を開放し、ガス入口６１から加圧用ガスを導入することによって試料容器１１の内部が所定の圧力となるようにする。
【００２９】
(ii)計量管への試料ガス導入工程
続いて、電磁弁ＳＶ２を閉鎖して電磁弁ＳＶ１を開放すると、試料容器１１内で気化した試料成分を含むガス（試料ガス）がニードル１０を通って計量管４０に流入する。このとき計量管４０を通過した試料ガスはガス出口７１から排出される。なお、上記工程の間、キャリアガスはガス入口６３から第１流路切替バルブ２０を介してカラム９１又はガス出口７２に流れている。
【００３０】
(iii)カラムへの試料ガス送出工程
その後、第１流路切替バルブ２０を点線で示す接続状態とすると、ガス入口６３から供給されるキャリアガスが、計量管４０を通ってカラム９１へと流れるようになる。これにより、計量管４０に保持されていた所定量の試料ガスがキャリアガスの流れと共にカラム９１に導入される。なお、このとき第１流路切替バルブ２０のポートｅから流れ出したキャリアガス及び試料ガスの一部は、所定のスプリット比でスプリット流路Ｆ４に流入してガス出口７２から排出される。カラム９１に導入された試料ガス中の試料成分はカラム９１を通過する過程で時間的に分離され、カラム９１の出口端に接続された検出器９３によって順次検出される。
【００３１】
２．濃縮モード
次に、試料濃縮ユニット５０を利用した試料導入（以下、濃縮モードと呼ぶ）を行う場合の動作について説明する。
【００３２】
(i)加圧工程
まず、第１流路切替バルブ２０及び第２流路切替バルブ３０を実線で示す接続状態にした上で、上記計測モード時と同様にして試料容器１１の加熱及び加圧を行う。
【００３３】
(ii)試料成分吸着工程
その後、電磁弁ＳＶ２を閉鎖し、第２流路切替バルブ３０を点線で示す接続状態にすると共に電磁弁ＳＶ１を開放すると、試料容器１１内の試料ガスがニードル１０及び計量管４０を介して捕集管５１に流入する。このとき、捕集管５１は冷却部５２によって所定の温度に冷却されているため、試料ガスが捕集管５１を通過する過程で該試料ガス中の所定の成分が捕集管５１の内部に吸着される。なお、試料成分が吸着された後の試料ガスはガス出口７１から排出される。
【００３４】
(iii)ドライパージ工程
上記の試料成分吸着工程では、分析対象とする試料成分と共に試料ガス中の水分も捕集管５１内に吸着してしまうため、その水分が分析時にカラム９１へと送り込まれないよう、予め水分除去の処理（ドライパージ）を行う必要がある。このドライパージ工程では、第２流路切替バルブ３０を実線で示す接続状態に切り替えると共に電磁弁ＳＶ３を開放することで、ガス入口６２から捕集管５１を通過してガス出口７３に至る流路を形成する。これにより、該流路中を乾燥Ｈｅガス等のドライパージガスが通過し、該ドライパージガスと共に捕集管５１内の水分がガス出口７３から排出される。
【００３５】
(iv)試料成分の脱着及びカラムへの送出工程
ドライパージ工程が完了したら、第１流路切替バルブ２０及び第２流路切替バルブ３０を点線で示す接続状態に切り替えると共に、加熱部５３によって所定のタイミングで捕集管５１を加熱して試料成分を捕集管５１から脱着させる。これにより、ガス入口６３から供給されるキャリアガスが捕集管５１及び計量管４０を通過してカラム９１に流れ込むようになり、捕集管５１から脱着した試料成分が該キャリアガスと共にカラム９１に導入される。なお、該試料成分を含むキャリアガスの一部は所定のスプリット比でスプリット流路Ｆ４に流入し、ガス出口７２から排出される。
【００３６】
以上、実施例を用いて本発明を実施するための最良の形態について説明したが、本発明は上記実施例に限定されるものではなく、本発明の趣旨の範囲内で適宜変更が許容されるものである。例えば、上記の実施例ではヘッドスペース法による試料ガスの導入を行うものとしたが、試料の導入方法はこれに限定されるものではなく種々の方式を採用することができる。図２、３に他の試料導入方式による気体試料導入装置を備えたガスクロマトグラフの構成例を示す。
【００３７】
図２は、試料液体にパージガスを吹き込むことで水中の揮発性有機化合物やカビ臭等を強制的に追い出して採取する方式のものである。この例では、ガス入口６１に接続された流路の他端が分岐管Ｔ１に接続される代わりに、試料容器１１内に挿入されている点以外は上記実施例と同様の流路構成となっている。このような構成から成る試料導入装置では、計量モード及び濃縮モードのいずれにおいても、上述の加圧工程に代わって試料液体のバブリング（通気処理）を行う。このバブリング工程では、第１流路切替バルブ２０を図２中の点線で示す接続状態にすると共に電磁弁ＳＶ２を開放することで、ガス入口６１からＨｅガス等のパージガスを導入して試料液体をバブリング（通気処理）する。これによって該液体中の揮発性有機化合物等が試料容器１１の上部空間へと追い出されるので、以降は上記実施例と同様にして該上部空間内のガスをニードル１０によって採取し、計量又は濃縮を行ってカラム９１に導入する。
【００３８】
また、図３は試料ガスをポンプで吸引して採取する方式のものである。同図の装置は、試料容器を加圧するための流路（図１中のガス入口６１から分岐管Ｔ１に至る流路）を有しない点、及び電磁弁ＳＶ１とガス出口７１の間に試料ガスを吸引するためのポンプ８２と該吸引時の流量を制御するためのマスフローコントローラ８１を有している点以外は上記実施例と同様の流路構成となっている。このような構成から成る試料導入装置では、計量モード及び濃縮モードのいずれにおいても、上述の加圧工程は行わず、計量モードにおける「計量管への試料導入工程」又は濃縮モードにおける「試料成分吸着工程」において、第１流路切替バルブ２０を図３中の実線で示す接続状態とした上で、電磁弁ＳＶ１を開放すると共にポンプ８２を駆動する。これにより、第１流路切替バルブ２０のポートａに接続された流路Ｆ１を介して所定の試料ガス容器等に収容された試料ガスが吸引され、計量管４０（又は計量管４０及び捕集管５１）を通過してガス出口７１から排出される。その他の動作については上記実施例と同様である。
【図面の簡単な説明】
【００３９】
【図１】本発明の一実施例による気体試料導入装置を用いたガスクロマトグラフの概略構成図。
【図２】本発明の別の実施例による気体試料導入装置を用いたガスクロマトグラフの概略構成図。
【図３】本発明の更に別の実施例による気体試料導入装置を用いたガスクロマトグラフの概略構成図。
【図４】従来の気体試料導入装置の流路構成の一例を示す概略図。
【符号の説明】
【００４０】
１…試料導入部
２…分析部
３…制御部
１０…ニードル
１１…試料容器
２０…第１流路切替バルブ
３０…第２流路切替バルブ
４０…計量管
５０…試料濃縮ユニット
５１…捕集管
６１、６２、６３…ガス入口
７１、７２、７３…ガス出口
９１…カラム
９２…カラムオーブン
９３…検出器
【図１】
2010112761.tif 000003
【図２】
2010112761.tif 000004
【図３】
2010112761.tif 000005
【図４】
2010112761.tif 000006